(57)【要約】【課題】ソーラーパネル支持構造物の総重量と掘削土重量とを釣り合わせて不同沈下を防止したソーラーパネル支持構造物及び不同沈下防止方法を提供する。【解決手段】ソーラーパネル支持構造物本体は、同ソーラーパネル支持構造物本体の重量を超える体積量の軟弱地盤を掘削して設置された容器構造のコンクリート基礎構造体と、コンクリート基礎構造体の一方の側壁の上端に建てた鉄骨柱と、同鉄骨柱の上部と前記コンクリート基礎構造体の他方の側壁上端との間に一定角度に傾斜して取り付けたソーラーパネルと、ソーラーパネルの裏面を覆って、下端部がコンクリート基礎構造体の水槽内部へ垂れる水揚げ部材とから成り、支持構造物本体の総重量が前記掘削土より軽量に構築されており、コンクリート基礎構造体本体の容器構造部に、ソーラーパネル支持構造物本体の総重量と前記掘削土重量とが釣り合う水量を溜める。【選択図】    図４
2011047199.tif 000002
【特許請求の範囲】
【請求項１】
軟弱地盤上に設置される不同沈下を防止したソーラーパネル支持構造物であって、
前記ソーラーパネル支持構造物本体は、同ソーラーパネル支持構造物本体の重量を超える体積量の軟弱地盤を掘削して略一定の深さの溝を形成し、同掘削溝内へ設置された水貯めが可能な容器構造のコンクリート基礎構造体と、同コンクリート基礎構造体の一方の側壁の上端に建てた鉄骨柱と、同鉄骨柱の上部と前記コンクリート基礎構造体の他方の側壁上端との間に一定角度に傾斜して取り付けたソーラーパネルと、同ソーラーパネルの裏面を覆って、下端部がコンクリート基礎構造体の水槽内部へ垂れる水揚げ部材とから成り、同支持構造物本体の総重量が前記掘削土より軽量に構築されていること、
前記コンクリート基礎構造体本体の容器構造部に、ソーラーパネル支持構造物本体の総重量と前記掘削土重量とが釣り合う水量を溜めることを特徴とする、不同沈下を防止したソーラーパネル支持構造物。
【請求項２】
容器構造のコンクリート基礎構造体の一方の側壁から立ち上がる鉄骨柱の下部にレベル調整機構が設けられ、該レベル調整機構でソーラーパネルの傾斜角度が調節されることを特徴とする、請求項１に記載した不同沈下を防止したソーラーパネル支持構造物。
【請求項３】
容器構造のコンクリート基礎構造体の他方の側壁の上端部にレベル調整機構が設けられ、該レベル調整機構でソーラーパネルのレベル及び傾斜角度が調節されることを特徴とする、請求項１又は２に記載した不同沈下を防止したソーラーパネル支持構造物。
【請求項４】
水揚げ部材は、毛細管現象により水を吸い揚げることが可能な不織布であることを特徴とする、請求項１に記載した不同沈下を防止したソーラーパネル支持構造物。
【請求項５】
水を貯め入れるコンクリート基礎構造体の水槽側壁には、前記ソーラーパネル支持構造物の総重量と掘削土重量とが略同じとなる高さ位置に排水手段が設けられて自動貯水量を調整されることを特徴とする、請求項１〜４のいずれか一に記載した不同沈下を防止したソーラーパネル支持構造物。
【請求項６】
容器構造のコンクリート基礎構造体が、長さ方向に間隔を開けて分割した水槽を独立した構造で配置されることを特徴とする、請求項１に記載した不同沈下を防止したソーラーパネル支持構造物。
【請求項７】
軟弱地盤上に設置されるソーラーパネル支持構造物の不同沈下防止方法であって、
軟弱地盤に前記支持構造物本体の重量を超える体積量を掘削して略一定深さの掘削溝を形成し、
同掘削溝内へ水貯めが可能な容器構造のコンクリート基礎構造体を構築し、同コンクリート基礎構造体の一方の側壁の上端に鉄骨柱を建て、同鉄骨柱の上部と前記コンクリート基礎構造体の他方の側壁上端との間に一定角度に傾斜したソーラーパネルを取り付けて、総重量が前記掘削土よりも軽量のソーラーパネル支持構造物本体を構築し、
前記コンクリート基礎構造体本体の容器構造部へ、ソーラーパネル支持構造物本体の総重量と前記掘削土重量とが釣り合う水量を充填して不同沈下を防止することを特徴とする、ソーラーパネル支持構造物の不同沈下防止方法。
【発明の詳細な説明】
【技術分野】
【０００１】
この発明は、軟弱地盤上に設置される不同沈下を防止したソーラーパネル支持構造物及び不同沈下防止方法の技術分野に属し、更に云うと、ソーラーパネル支持構造物の総重量と掘削土重量とを釣り合わせて不同沈下を防止したソーラーパネル支持構造物及び不同沈下防止方法に関する。
【背景技術】
【０００２】
従前より、環境に優しい自然エネルギーを利用した発電装置として、太陽光を用いセルを集合させたソーラーパネルが最もポピュラーなものとされ、その利用率も高くなってきている。最近では、前記ソーラーパネルを長手方向に１００〜３００ｍ連続して設置する大規模なソーラーパネル支持構造物が構築され、同ソーラーパネル支持構造物を使用したメガソーラー発電所の建設が始まっている。
こうした、大規模なメガソーラー発電所の建設場所としては、海岸沿いの土地が広く利用されている。
【０００３】
しかし、海岸沿いの土地は、軟弱地盤であることが多く、ソーラーパネル支持構造物に不同沈下を生じさせる問題がある。従来から不同沈下の防止対策として一般的に、例えば図１１Ａに示すように、先端が支持層Ｓに達する支持杭１１を打ち込み、同支持杭１１の先端に上向きに働く先端支持力、及び杭中間の摩擦力によって沈下を防止する杭基礎構造や、図１１Ｂに示すように、軟弱地盤を、地盤の土とセメント系固化剤（地盤改良用セメント）とを混ぜ合わせて固化して地盤改良１２を施し地盤の耐力を増大させて沈下を防止する地盤改良構造など多数ある。
しかし、何れも基礎工事前の面倒な工程が多く、工期が長くなると共に、コストも高くなる。また、何れも重量構造物を対象とした構造であり、軽量なソーラーパネル支持構造物の沈下対策としては大掛かり過ぎで合理的ではないという問題がある。
現在のところ、不同沈下を必要充分に防止する合理的なソーラーパネル支持構造物は見聞きしないし、開示もない。
【０００４】
ところで、下記の特許文献１には、不同沈下を経済的且つ合理的に防止する建築構造物（重量構造物）が開示されている。
即ち、掘削土よりも嵩比重が小さい軽量資材を掘削坑の底面に敷設して、床コンクリートの下面を軽量資材を介して、掘削坑の底面で支持可能に建物下部を埋設し、建物下部の埋設深さが、掘削土の総重量と建物重量とが略釣り合う深さになるように、掘削土を建物の外周部に盛土する。つまり、実際に出来上がった建物の総重量と地盤側から建物に作用する圧力とが略釣り合うように掘削土を盛土することで、建物の沈下を効果的に防止する構造である。
【先行技術文献】
【特許文献】
【０００５】
【特許文献１】特開２００７−１５４６０３号公報
【発明の概要】
【発明が解決しようとする課題】
【０００６】
上記特許文献１の発明は、建物の総重量と地盤側から建物に作用する圧力とを略釣り合わせることで、沈下を防止する合理性、経済性は認められる。
しかし、この発明は以下に示す理由からソーラーパネル支持構造物に適用できる発明ではない。
１）前記ソーラーパネル支持構造物は、ソーラーパネルの交換や部材の交換等により重量の変化が生じたり、地下水位の上昇により構造物重量が地盤からの圧力と釣り合わなくなることがあり、前記支持構造物の重量を容易に調整して不同沈下を防止させることが求められる。
特許文献１の発明は、床コンクリートの下面に、掘削土より嵩比重が小さい軽量資材を介在させることで構造物の総重量を掘削土重量よりも軽量にしておき、その後、掘削土重量と建物重量とが釣り合う深さの盛土により両重量をバランスさせる方法である。したがって、構造物重量が変化した場合、建物外周に積み上げた盛土の量を減らしたり増やしたりする必要がある、しかし、この方法は非常に面倒であるし正確に盛土の量を増減させることは難しく、ソーラーパネル支持構造物に適用することは難しい。
【０００７】
２）また、前記ソーラーパネル支持構造物は、予測不能な大きな不同沈下や、上述した地下水位が上昇した場合、前記ソーラーパネルの高さレベルと傾斜角度に大きなズレが生じてしまう。ソーラーパネルは最も効率的に太陽光を取り入れられる傾斜位置が計算されて設置されているので、その傾斜角度が変化すると想定電力に達しないという問題が生じてしまう。しかし、上記特許文献１の発明は、ソーラーパネルの高さや傾斜角度のズレを適切に対処できる機構や手段が一切無いため、やはりソーラーパネル支持構造物には適用できないものである。
【０００８】
ところで、ソーラーパネルは、２５℃を超えると発電効率が下がることが知られている。したがって、消費電力が最も激しく２５℃を超える日が続く真夏においては、深刻な問題の要因となる虞がある。その対策として給水ポンプ等によりソーラーパネルへ水を散水してパネルの温度上昇を抑制する方法があるが、コストが高くメンテナンスが面倒であることから実用が懸念されている。
【０００９】
したがって、本発明の目的は、上記課題点を解決することであり、軟弱地盤上に設置するソーラーパネル支持構造物本体の総重量と掘削土重量とを水量を調節してバランスさせて同沈下を防止したソーラーパネル支持構造物及びその不同沈下防止方法を提供することである。更に云うと、ソーラーパネル支持構造物本体の軽減化や地下水位の上昇にも直ちに対応でき、ソーラーパネルの角度の調整が容易にできる不同沈下を防止したソーラーパネル支持構造物及び不同沈下防止方法を提供することにある。
【００１０】
本発明の次の目的は、ソーラーパネルの温度上昇を気化熱を効果的に利用して抑制してソーラーパネルの良好な発電効率を保持する不同沈下を防止したソーラーパネル支持構造物及び不同沈下方法を提供することにある。
【課題を解決するための手段】
【００１１】
上述した従来技術の課題を解決するための手段として、請求項１に記載した発明に係る不同沈下を防止したソーラーパネル支持構造物は、
軟弱地盤上に設置される不同沈下を防止したソーラーパネル支持構造物であって、
前記ソーラーパネル支持構造物本体は、同ソーラーパネル支持構造物本体の重量を超える体積量の軟弱地盤を掘削して略一定の深さの溝を形成し、同掘削溝内へ設置された水貯めが可能な容器構造のコンクリート基礎構造体と、同コンクリート基礎構造体の一方の側壁の上端に建てた鉄骨柱と、同鉄骨柱の上部と前記コンクリート基礎構造体の他方の側壁上端との間に一定角度に傾斜して取り付けたソーラーパネルと、同ソーラーパネルの裏面を覆って、下端部がコンクリート基礎構造体の水槽内部へ垂れる水揚げ部材とから成り、同支持構造物本体の総重量が前記掘削土より軽量に構築されていること、
前記コンクリート基礎構造体本体の容器構造部に、ソーラーパネル支持構造物本体の総重量と前記掘削土重量とが釣り合う水量を溜めることを特徴とする。
【００１２】
請求項２記載の発明は、請求項１に記載した不同沈下を防止したソーラーパネル支持構造物において、
容器構造のコンクリート基礎構造体の一方の側壁から立ち上がる鉄骨柱の下部にレベル調整機構が設けられ、該レベル調整機構でソーラーパネルの傾斜角度が調節されることを特徴とする。
【００１３】
請求項３記載の発明は、請求項１又は２に記載した不同沈下を防止したソーラーパネル支持構造物において、
容器構造のコンクリート基礎構造体の他方の側壁の上端部にレベル調整機構が設けられ、該レベル調整機構でソーラーパネルのレベル及び傾斜角度が調節されることを特徴とする。
【００１４】
請求項４記載の発明は、請求項１に記載した不同沈下を防止したソーラーパネル支持構造物において、
水揚げ部材は、毛細管現象により水を吸い揚げることが可能な不織布であることを特徴とする。
【００１５】
請求項５記載の発明は、請求項１〜４のいずれか一に記載した不同沈下を防止したソーラーパネル支持構造物において、
水を貯め入れるコンクリート基礎構造体の水槽側壁には、前記ソーラーパネル支持構造物の総重量と掘削土重量とが略同じとなる高さ位置に排水手段が設けられて自動貯水量を調整されることを特徴とする。
【００１６】
請求項６記載の発明は、請求項１に記載した不同沈下を防止したソーラーパネル支持構造物において、
容器構造のコンクリート基礎構造体が、長さ方向に間隔を開けて分割した水槽を独立した構造で配置されることを特徴とする。
【００１７】
請求項７に記載した発明に係る、ソーラーパネル支持構造物の不同沈下防止方法は、
軟弱地盤上に設置されるソーラーパネル支持構造物の不同沈下防止方法であって、
軟弱地盤に前記支持構造物本体の重量を超える体積量を掘削して略一定深さの掘削溝を形成し、
同掘削溝内へ水貯めが可能な容器構造のコンクリート基礎構造体を構築し、同コンクリート基礎構造体の一方の側壁の上端に鉄骨柱を建て、同鉄骨柱の上部と前記コンクリート基礎構造体の他方の側壁上端との間に一定角度に傾斜したソーラーパネルを取り付けて、総重量が前記掘削土よりも軽量のソーラーパネル支持構造物本体を構築し、
前記コンクリート基礎構造体本体の容器構造部へ、ソーラーパネル支持構造物本体の総重量と前記掘削土重量とが釣り合う水量を充填して不同沈下を防止することを特徴とする。
【発明の効果】
【００１８】
請求項１〜７に記載した発明に係る不同沈下を防止したソーラーパネル支持構造物及び不同沈下防止方法は、以下のような効果を奏する。
本発明のソーラーパネル支持構造物本体は、同支持構造物本体の重量を超える体積量の軟弱地盤を掘削して形成された掘削溝へ設置した容器構造のコンクリート基礎構造体と、同コンクリート基礎構造体の一方の側壁の上端に建てる鉄骨柱と、同鉄骨柱の上部と前記コンクリート基礎構造体の他方の側壁上端と間に取り付けるソーラーパネルと、同ソーラーパネルの裏面を覆って、下端部がコンクリート基礎構造体の水槽内部へ垂れる水揚げ部材とから成り、同支持構造物本体の総重量は前記掘削土より軽量に構築する。そして、前記基礎構造体本体の容器構造部に、同支持構造物本体の総重量と前記掘削土重量とを釣り合わせる水量を溜める構成とした。
つまり、掘削する土の重量をソーラーパネル支持構造物本体の重量を超える重量として、ソーラーパネル支持構造物を支持する耐力を本来的に持たせ、その差分を水量で調整する調整機構により、ソーラーパネル支持構造物本体の総重量を掘削土重量とバランスさせるものである。前記掘削土重量は、地盤側が同構造物を支持する耐力として本来有しているので、ソーラーパネル支持構造物本体の総重量と地盤耐力とが釣り合う結果、不同沈下を確実に且つ簡易に防止することができる。
【００１９】
更に、将来、ソーラーパネルを交換したり、部材の交換等によってソーラーパネル支持構造物自体の重量が軽減化する場合や、地下水の上昇によって前記支持構造物の総重量を増やす必要がある場合には、コンクリート基礎構造体へ貯める水量を増減することで容易に対応することができる。
【００２０】
また、コンクリート基礎構造体の容器構造部の内壁に、前記ソーラーパネル支持構造物本体の総重量と掘削土の重量とが略同じとなる高さ位置の排水手段を設けておくと、貯水量を自動調整するので、大雨が降ってもソーラーパネル支持構造物の総重量を常に一定に保って、不同沈下を確実に防止することができる。
また、前記水揚げ部材は、その下端部がコンクリート基礎構造体の容器構造部の貯水に浸水させるので、毛細管現象により前記水を常時吸い上げてソーラーパネル全体へ行き渡らせ、その気化熱によりソーラーパネルの温度上昇を効果的に抑制することができる。
【００２１】
前記コンクリート基礎構造体の側壁部の上面から立ち上がる鉄骨柱の下部又はコンクリート基礎構造体の他方の側壁の上端にレベル調整機構を設けているので、予測不能な不同沈下や、地下水の上昇などによりソーラーパネルの傾斜角度がずれた場合には、発電効率の高い傾斜角度に容易に調整することができる。更には、鉄骨柱の下部とコンクリート基礎構造体の側壁の上端の両方にレベル調整機構を設けて、ソーラーパネルの高さと角度の両方を自在に調整して、季節等の変化に対応したフレキシブルな調整が可能となる。
【図面の簡単な説明】
【００２２】
【図１】軟弱地盤上に掘削溝を設けた段階を示した図である。
【図２】掘削溝へコンクリート基礎構造体を構築した状態を示した図である。
【図３】図２に示したコンクリート基礎構造体を長手方向に連続して設置した一例を示した斜視図である。
【図４】本発明に係るソーラーパネル支持構造物を実施した一例を示した断面図である。
【図５】図４の正面を示した立面図である。
【図６】図４の背面を示した立面図である。
【図７】鉄骨柱の下部にレベル調整機構を設けた一例を示した一部拡大図である。
【図８】実施例２のコンクリート基礎構造体を示す背面斜視図である。
【図９】実施例２のコンクリート基礎構造体を示す背面図である。
【図１０】コンクリート基礎構造体の別の実施形態を示した背面図である。
【図１１】Ａは従来の杭基礎構造を示した参考図である。Ｂは従来の地盤改良構造の一例を示した参考図である。
【発明を実施するための形態】
【００２３】
本発明は、軟弱地盤上に設置される不同沈下を防止したソーラーパネル支持構造物１である。
前記ソーラーパネル支持構造物本体１は、同支持構造物本体１の重量を超える体積量の軟弱地盤Ｇを掘削して略一定の深さの溝Ｋを形成し、同掘削溝Ｋ内へ設置された水貯めが可能な容器構造のコンクリート基礎構造体２と、同コンクリート基礎構造体２の一方の側壁２ａの上端に建てた鉄骨柱３と、同鉄骨柱３の上部と前記コンクリート基礎構造体２の他方の側壁２ｂ上端との間に一定角度に傾斜して取り付けたソーラーパネル４と、同ソーラーパネル４の裏面を覆って、下端部がコンクリート基礎構造体２の水槽内部へ垂れる水揚げ部材５とから成り、同支持構造物本体１の総重量が前記掘削土より軽量に構築されていること、
前記コンクリート基礎構造体本体１の容器構造部Ｙには、ソーラーパネル支持構造物本体１の総重量と前記掘削土重量とが釣り合う水量が溜めることを特徴とする
【実施例１】
【００２４】
以下に、本発明を図１〜７に示した実施例に基づいて説明する。
本発明は、大規模なメガソーラー発電所の建設の際、軟弱地盤上に設置されるソーラーパネル４を長手方向に２００〜３００ｍ一連に設置するソーラーパネル支持構造物本体１に好適に実施される。
【００２５】
先ず、図１に示すように、軟弱地盤Ｇを前記ソーラーパネル支持構造物本体１の設置範囲内を略一定の深さ（本実施例では深さ１ｍとした）掘削して掘削溝Ｋを形成する。掘削溝Ｋは、幅４ｍ、長さ２００ｍの横長の溝である。掘削する土の量は、前記ソーラーパネル支持構造物本体１を組み立てた際の重量を超える体積分とされている。つまり、地盤にソーラーパネル支持構造物１を支持する耐力を本来的に持たせている。このソーラーパネル支持構造物本体１の重量（自重）は、設計時に容易に計算できるものである。
次に、前記掘削溝Ｋ内へ、ソーラーパネル支持構造物本体１が構築される。ソーラーパネル支持構造物本体１は、図４に示すように、水貯めが可能な容器構造のコンクリート基礎構造体２と、同コンクリート基礎構造体１の一方の側壁２ａの上端に建てた鉄骨柱３と、同鉄骨柱３の上部と前記コンクリート基礎構造体２の他方の側壁２ｂ上端との間に一定角度に傾斜して取り付けたソーラーパネル４と、同ソーラーパネル４の裏面を覆って、下端部がコンクリート基礎構造体１の水槽内部へ垂れる水揚げ部材５とから構成されている。
【００２６】
具体的には、先ず、同掘削溝Ｋへ容器構造のコンクリート基礎構造体２を構築する。このコンクリート基礎構造体２は、予め工場等で構築されるプレキャスト製のコンクリート体であり、クレーン等により前記掘削溝Ｋ内へ設置される。
前記コンクリート基礎構造体２の具体的な構築工法は、図３に示すように、幅が４ｍ、長さが６ｍで断面形状がコ字形状で左右端が開口しているコンクリートブロック２１…を一連に連続して掘削溝Ｋの長さ２００ｍまで連続して並べ、その両端部には、左右のいずれか一方に止め壁２０ａを設けたコンクリートブロック２０、２０を対峙するようにそれぞれ設置して容器構造部Ｙが形成され、同容器構造部Ｙの内側面にセメント系塗り防水が施して、水を溜め入れ可能な構造とする。
前記コンクリート基礎構造体２の容器構造部Ｙの側壁２ａには、前記ソーラーパネル支持構造物本体１の総重量と掘削土重量とが同じとなる高さ位置Ｌに排水手段６を設けている（図４参照）。したがって、大雨が降ってもソーラーパネル支持構造物の総重量を常に一定に保って、不同沈下を確実に防止する。図示例では、コンクリート基礎構造体２の側壁２ａの、掘削土重量と同じとなる高さＬ位置に排水口６を設けた場合を示した。勿論この限りではなく、通常に使用される排水手段が適宜用いられる。
【００２７】
前記コンクリート基礎構造体２は、上記の如く長手方向に連続する形態の限りではなく、図１０に示したように、例えば幅が４ｍ、長さが６ｍで独立した容器構造部Ｙとするコンクリート基礎構造体２’を形成し、同コンクリート基礎構造体２’を長さ方向に間隔を空けて分割した構造とすることも好適に実施される。この場合、２００ｍにも及ぶソーラーパネル支持構造物本体１をメンテナンスする際、前記コンクリート基礎構造体２’、２’の隙間Ｓを利用して同支持構造物１を横断できて作業性が良い。
【００２８】
次に、図４、図６に示すように、同コンクリート基礎構造体２の一方の側壁２ａの上端に鉄骨柱３を建てる。前記鉄骨柱３は長手方向に一定の間隔（約６ｍ）を空けて複数本立設される。そして、隣接する鉄骨柱３、３の間には交叉筋３０が架設されて剛性を備えることが好適に実施される。
そして、同鉄骨柱３の上部と前記コンクリート基礎構造体２の他方の側壁２ｂの上端との間に２０°〜４５°傾斜させたソーラーパネル４を取り付ける。前記ソーラーパネル４は、長さ方向に２００ｍ一連に連続して取り付ける（図５参照）。
続いて、前記ソーラーパネル４の裏面全体を覆い、下端部がコンクリート基礎構造体２の水槽内部へ垂れる水揚げ部材５を設置する。前記水揚げ部材５は、毛細管現象により前記水槽内へ貯められる水を吸い揚げ可能な不織布である。この水揚げ部材５により、容器構造部Ｙの水が常時ソーラーパネル４の裏面全体に行き渡り、その気化熱により同ソーラーパネル４の温度上昇を抑制することができる。尚、図示することは省略したが、万が一日照りが続いて、コンクリート基礎構造体２内の水が干上がらないために、送水手段を設けて常に水揚げ部材５が水を吸い上げるに足りる水をコンクリート基礎構造体２に溜めるようにしておくことが好ましい。
上記一連の手順により構築された水を貯め入れる前のソーラーパネル支持構造物本体１の総重量は、図１で掘削された掘削土重量より軽量である。
【００２９】
上記のソーラーパネル支持構造物本体１には、不同沈下又は地下水の上昇により同ソーラーパネル４の上記傾斜位置がずれる場合に高さレベルを調整する手段が講じられている。
例えば、前記ソーラーパネル４の上部を支持する前記鉄骨柱３の下部に、ソーラーパネル４の傾斜角度を調整可能なレベル調整機構７を設けている。このレベル調整機構７は、具体的には図７の拡大図に示すように、前記側壁２ａの上端面に立設される鉄骨柱３を上下方向にスライドさせるガイドプレート７０、７０と、同ガイドプレート７０の上部に設けられたピン孔７１と、鉄骨柱３の上下方向の高さを保持するボルトピン７２とで構成されている。また、前記鉄骨柱３の下端部には幅方向に貫通するピン孔３０が上下方向に複数設けられている。
【００３０】
したがって、不同沈下又は水位の上昇によってソーラーパネル４の角度がズレた場合には、ガイドレール７０、７０内に収められている鉄骨柱３を、ソーラーパネル４が適切な角度となる高さ位置へジャッキアップさせ、ガイドレール７０の一方のピン孔７１からボルトピン７２を差し入れ、鉄骨柱３の適切な高さのピン孔３０へ通し、対峙するガイドレール７０のピン孔７１から貫通させ、両ピン孔７１、７１から突き出たボルトピン７２の両端へナット７３をねじ込んで固定することで、ソーラーパネル４の適切な傾斜角度へ調整する。
【００３１】
図示例では、レベル調節機構７をコンクリート基礎構造体２の側壁２ａ側にのみ取り付けた場合を示したが勿論この限りではない。図示することは省略したが、コンクリート基礎構造体２の他方の側壁２ｂの上端部に設けることもできるし、鉄骨柱３の下部と、コンクリート基礎構造体２の側壁２ｂの上端部の両方にレベル調節機構７、７を設けて、２カ所のレベル調節機構７、７によりソーラーパネル４のレベルと傾斜角度をフレキシブルに調整することが好適に実施される。
【００３２】
上記レベル調整機構７を具備させたソーラーパネル支持構造物本体１の構築が完成すると、図４に示すように、前記コンクリート基礎構造体２の水槽内部へ、ソーラーパネル支持構造物本体１の総重量が前記掘削土重量と釣り合う量の水を充填する。
ここで、コンクリート基礎構造体２内へ溜める水量について説明する。
上述したように前記軽重量構造物１を埋設する前に掘削した土の容積は、前記ソーラーパネル支持構造物本体１の本体（水を入れない状態）の重量よりも軽量としているので、ソーラーパネル支持構造物本体１の重量と掘削土重量の差分の水量を、前記コンクリート基礎構造体２内へ貯め込めばよい。すると、ソーラーパネル支持構造物本体１の総重量と前記同掘削土重量に相当する地盤耐力と釣り合って不同沈下を確実に防止できる。
【００３３】
斯くすると、ソーラーパネル支持構造物本体１のソーラーパネル４を交換したり新しい部品を取り付けて前記本体重量が軽減化しても、前記コンクリート基礎構造体２へ貯め入れる水量を調整するだけで、確実に不同沈下の防止を発揮させることができる。
【実施例２】
【００３４】
上述したコンクリート基礎構造体２の形状は図示した限りではない。例えば、図８、９に示したコンクリート基礎構造体２の長手方向の所定箇所には、前記排水口６を設ける側壁２ａに、鉄骨柱３を支持する支持部２ｃと、前記排水口６の高さＬを残して切り欠かれた作業切り欠き部２ｄとが形成されている。前記作業切り欠き部２ｄが形成される利点は、ソーラーパネル４の取付作業及び水揚げ部材５の取付作業を、ソーラーパネルの背面側から行いやすくする点にある。
【００３５】
以上に実施形態を図面に基づいて説明したが、本発明は、図示例の限りではなく、その技術的思想を逸脱しない範囲において、当業者が通常に行う設計変更、応用のバリエーションの範囲を含むことを念のため付言する。
【符号の説明】
【００３６】
１      ソーラーパネル支持構造物
２      コンクリート基礎構造体
３      架台鉄骨
４      ソーラーパネル
５      水揚げ部材
６      排水手段
７      レベル調整機
【図１】
2011047199.tif 000003
【図２】
2011047199.tif 000004
【図３】
2011047199.tif 000005
【図４】
2011047199.tif 000006
【図５】
2011047199.tif 000007
【図６】
2011047199.tif 000008
【図７】
2011047199.tif 000009
【図８】
2011047199.tif 000010
【図９】
2011047199.tif 000011
【図１０】
2011047199.tif 000012
【図１１】
2011047199.tif 000013